(57)【要約】【課題】無駄な電力消費が低減される仮設分電盤を提供する。【解決手段】本発明の仮設分電盤１０は、作業開始および作業停止に対応させて電磁開閉器１４のオン・オフする２４時間週間タイマー１７を内蔵するとともに、誘導灯１２と、該誘導灯１２を一定時間点灯させる非常用バッテリー１９とを備え、外部からの電力供給が停止した際に、非常用バッテリー１９から誘導灯１２に電力が供給されるようにされてなるものである。【選択図】図２
2009118654.tif 000002
【特許請求の範囲】
【請求項１】
作業開始および作業停止に対応させて電磁開閉器をオン・オフするタイマーを内蔵してなることを特徴とする仮設分電盤。
【請求項２】
誘導灯と、該誘導灯を一定時間点灯させる非常用電源とを備え、
外部からの電力供給が停止した際に、非常用電源から誘導灯に電力が供給されるようにされてなることを特徴とする請求項１記載の仮設分電盤。
【請求項３】
誘導灯が、仮設分電盤の扉に備えられてなることを特徴とする請求項２記載の仮設分電盤。
【請求項４】
タイマーを有効にするか否かを切り替える切替スイッチを備えてなることを特徴とする請求項１記載の仮設分電盤。
【発明の詳細な説明】
【技術分野】
【０００１】
本発明は仮設分電盤に関する。さらに詳しくは、消費電力が低減されてなる仮設分電盤に関する。
【背景技術】
【０００２】
従来より、ビルやマンションなどの建設現場においては、溶接機などの機器へ電力を供給するため、仮設分電盤が設けられている。
【０００３】
この仮設分電盤は、通常、仮設分電盤に設けられた主スイッチによりなされ、朝の作業開始時にオンされた後、夜の作業終了時にオフされるようにされている。
【０００４】
そのため、休憩時間などのように作業がなされない間にも、仮設分電盤から溶接機などの機器へ待機電流が流れ、無用な電力の消費が結果的になされている。それに伴い、当然のことながら、電気代の増加を招来している。
【０００５】
また、かかる無駄な電力の消費は、無用な石油や石炭などの化石燃料消費量のいたずらな増大を招来し、大気中の二酸化炭素の増加をもたらして地球の温暖化を促進する一因ともなっている。
【発明の開示】
【発明が解決しようとする課題】
【０００６】
本発明はかかる従来技術の課題に鑑みなされたものであって、無駄な電力消費が低減される仮設分電盤を提供することを主たる目的としている。
【課題を解決するための手段】
【０００７】
本発明の仮設分電盤は、作業開始および作業停止に対応させて電磁開閉器をオン・オフするタイマーを内蔵してなることを特徴とする。
【０００８】
本発明の仮設分電盤においては、誘導灯と、該誘導灯を一定時間点灯させる非常用電源とを備え、外部からの電力供給が停止した際に、非常用電源から誘導灯に電力が供給されるようにされてなるのが好ましい。その場合、誘導灯が、仮設分電盤の扉に備えられてなるのがさらに好ましい。
【０００９】
また、本発明の仮設分電盤においては、タイマーを有効にするか否かを切り替える切替スイッチを備えていてもよい。
【発明の効果】
【００１０】
本発明によれば、休憩時に無用な待機電流が機器に流れるのが自動的に防止されて、節電が図られるという優れた効果が得られる。
【００１１】
また、電力消費が低減されるので、化石燃料の消費が低減されて大気中の二酸化酸素濃度が減少し、地球の温暖化が防止されるという付随的な効果も得られる。
【発明を実施するための最良の形態】
【００１２】
以下、添付図面を参照しながら本発明を実施形態に基づいて説明するが、本発明はかかる実施形態のみに限定されるものではない。
【００１３】
実施形態１
本発明の実施形態１に係る仮設分電盤１０の正面を図１に示し、内部の素子配置を図２に示す。なお、実施形態１に係る仮設分電盤１０は、機器にＡＣ２２０Ｖの電流を供給する動力盤とされる。
【００１４】
仮設分電盤１０は、図１に示すように、扉１１に非常時の誘導灯１２を備えるとともに、図２に示すように、内部に漏電遮断器１３、電磁開閉器１４、ブレーカー１５、外部用端子台１６などいった通常の仮設分電盤に備えられている素子の他に、２４時間週間タイマー１７、切替スイッチ１８、誘導灯１２に電気力を供給する非常用バッテリー１９を備えてなるものとされる。
【００１５】
誘導灯１２は、地震災害などにより停電した際に、作業員を安全に避難できるようにするためのものである。そのため、停電から例えば３０分間程度点灯するようにされている。
【００１６】
２４時間週間タイマー１７は、仮設分電盤１０が設置された作業現場における一週間におけるシフト、つまり作業開始時間、休憩時間、作業終了時間に応じて電磁開閉器１４をオン・オフするように設定されるものとされる。
【００１７】
切替スイッチ１８は、２４時間週間タイマー１７を有効にするか、あるいは無効にするかを切り替えるものとされる。
【００１８】
次に、かかる構成とされた仮設分電盤１０の動作について、図３および図４に示す線図を参照しながら説明する。
【００１９】
切替スイッチ１８により２４時間週間タイマー１７が有効な状態とされると、同タイマー１７により電磁開閉器１４のリレーがオン・オフされる。
【００２０】
例えば、朝の作業開始時に電磁開閉器１４がオンされ仮設分電盤１０から各機器に対する電力供給が開始され、正午に電磁開閉器１４がオフされ仮設分電盤１０から各機器に対する電力供給が停止され、休憩時間の終了時に電磁開閉器１４がオンされ仮設分電盤１０から各機器に対する電力供給が再開され、作業終了時に電磁開閉器１４がオフされ仮設分電盤１０から各機器に対する電力供給が停止される。
【００２１】
これにより、休憩時に無用な待機電力の消費がなくなり節電が図られる。
【００２２】
また、停電により商用電源などの外部からの電力の供給が停止すると、非常用バッテリー１９のスイッチ用リレーがオンされ、非常用バッテリー１９から誘導灯１２に電力が供給されて誘導灯が点灯する。
【００２３】
これにより、作業現場などのように誘導灯の設備が備えられていないような建設現場においても、避難誘導がなし得る。
【００２４】
実施形態２
本発明の実施形態２に係る仮設分電盤３０の正面を図５に示し、内部の素子配置を図６に示す。なお、実施形態２に係る仮設分電盤３０は、機器にＡＣ１１０Ｖの電流を供給する低圧盤とされる。
【００２５】
仮設分電盤３０は、図５に示すように、扉３１に非常時の誘導灯３２を備えるとともに、図６に示すように、内部に漏電遮断器３３、電磁開閉器３４、ブレーカー３５、２Ｐ外部コンセント３６などいった通常の仮設分電盤に備えられている素子の他に、２４時間週間タイマー３７、切替スイッチ３８、誘導灯３２に電気力を供給する非常用バッテリー３９を備えてなるものとされる。
【００２６】
誘導灯３２は、実施形態１と同様に、地震災害などにより停電した際に、作業員を安全に避難できるようにするためのものである。そのため、停電から例えば３０分間程度点灯するようにされている。
【００２７】
２４時間週間タイマー３７は、実施形態１と同様に、仮設分電盤３０が設置された作業現場における一週間におけるシフト、つまり作業開始時間、休憩時間、作業終了時間に応じて電磁開閉器３４をオン・オフするように設定されるものとされる。
【００２８】
切替スイッチ３８は、実施形態１と同様に、２４時間週間タイマー３７を有効にするか、あるいは無効にするかを切り替えるものとされる。
【００２９】
次に、かかる構成とされた仮設分電盤３０の動作について、図７および図８に示す線図を参照しながら説明する。
【００３０】
切替スイッチ３８により２４時間週間タイマー３７が有効な状態とされると、同タイマー３７により電磁開閉器３４のリレーがオン・オフされる。
【００３１】
例えば、朝の作業開始時に電磁開閉器３４がオンされ仮設分電盤３０から作業場の電灯などに対する電力供給が開始され、正午に電磁開閉器３４がオフされ仮設分電盤３０から電灯などに対する電力供給が停止され、休憩時間の終了時に電磁開閉器３４がオンされ仮設分電盤３０から電灯などに対する電力供給が再開され、作業終了時に電磁開閉器３４がオフされ仮設分電盤３０から電灯などに対する電力供給が停止される。
【００３２】
これにより、休憩時に電灯の消し忘れがあっても、自動的に消灯され無駄な電力の消費がなくなり節電が図られる。
【００３３】
また、停電により商用電源などの外部からの電力の供給が停止すると、非常用バッテリー３９のスイッチ用リレーがオンされ、非常用バッテリー３９から誘導灯３２に電力が供給されて誘導灯が点灯する。
【００３４】
これにより、作業現場などのように誘導灯の設備が備えられていないような建設現場においても、避難誘導がなし得る。
【産業上の利用可能性】
【００３５】
本発明は、仮設分電盤に適用できる。
【図面の簡単な説明】
【００３６】
【図１】本発明の実施形態１に係る仮設分電盤の正面図である。
【図２】同仮設分電盤の素子の配置を示す配置図である。
【図３】同仮設分電盤の線図である。
【図４】同シーケンス線図である。
【図５】本発明の実施形態２に係る仮設分電盤の正面図である。
【図６】同仮設分電盤の素子の配置を示す配置図である。
【図７】同仮設分電盤の線図である。
【図８】同シーケンス線図である。
【符号の説明】
【００３７】
１０、３０      仮設分電盤
１１、３１      扉
１２、３２      誘導灯
１３、３３      漏電遮断器
１４、３４      電磁開閉器
１５、３５      ブレーカー
１７、３７      ２４時間週間タイマー
１８、３８      切替スイッチ
１９、３９      非常用バッテリー
【図１】
2009118654.tif 000003
【図２】
2009118654.tif 000004
【図３】
2009118654.tif 000005
【図４】
2009118654.tif 000006
【図５】
2009118654.tif 000007
【図６】
2009118654.tif 000008
【図７】
2009118654.tif 000009
【図８】
2009118654.tif 000010